(57)【要約】  【課題】  この発明は、携帯用カード収納具において、スキミング機器から放射される電磁波等の透過を防ぎ、カード所有者が気付かないうちにカード情報がスキミングされることを防止することができる携帯用カード収納具を提供することを目的とする。  【解決手段】  情報を記録した情報カードＣを覆う後カバー２２、前カバー２３と、前記情報カードＣを保持する収納部２１とを備え、前記後カバー２２または前カバー２３の少なくとも一部に、電磁波の透過を防止する部材で形成する電磁波シールド材３を備えたカードケース２。  【選択図】  図２
2006141769.tif 000002
【特許請求の範囲】
【請求項１】
情報を記録したカードを覆う覆体と、前記カードを保持する保持部とを備え、
前記覆体の少なくとも一部に、電磁波の透過を防止する部材で形成する電磁波透過防止部を備えた
携帯用カード収納具。
【請求項２】
前記電磁波透過防止部を、前記カードの少なくとも片面を覆う形状に形成した
請求項１記載の携帯用カード収納具。
【請求項３】
前記覆体を、少なくとも２つの面状体の各一部を互いに固着した重ね合わせ構造で形成し、
前記カードの両面を覆う構成とした
請求項１又は２記載の携帯用カード収納具。
【請求項４】
前記覆体を、前記電磁波透過防止部を有する面状体を折畳んで形成し、
前記カードの両面を覆う構成とした
請求項１又は２記載の携帯用カード収納具。
【発明の詳細な説明】
【技術分野】
【０００１】
この発明は、磁気カードやＩＣカード等の情報を記録するカードを携帯する際に用いる携帯用カード収納具に関する。
【背景技術】
【０００２】
近年、クレジットカードやキャッシュカードさらには定期券などで、情報を記録する磁気カードやＩＣカードが普及しており、売買決済などを現金を用いずに行うことができる。
【０００３】
しかし、このようにカードが普及してくると、カードに記録した情報を、端末装置に取付けた不正読み取り機で盗み取る、いわゆる「スキミング」といった行為が横行し、カードが偽造されたり、情報が書き換えられるといった問題が社会問題化している。
【０００４】
この問題に対して、端末装置でのカード情報の読取りの際に「スキミング」が行われるとの前提で、端末装置にスキミング防止機能を設けてスキミングを防止したり（特許文献１参照）、不正読み取り機の取付けを端末装置自身が検出し、動作を停止させてスキミングを防止する方法等が提案されていた（特許文献２参照）。
【０００５】
【特許文献１】特開２００３−２３３６２０号公報
【特許文献２】特開２００４−０５４６７０号公報
【発明の開示】
【発明が解決しようとする課題】
【０００６】
しかしながら、スキミング技術は進歩しており、端末装置でカード情報を読取る時以外でも、スキミングできる機器が開発されるおそれがある。例えば、電磁波等を照射して服の上からカードに非接触でスキミングを行う機器等が考えられる。
【０００７】
このような機器によって、カードに非接触でスキミングが行われると、例えば満員電車の乗車中などに、カード所有者が気付かないうちにカード情報がスキミングされるおそれが生じる。
【０００８】
すなわち、カード所有者は、一般に磁気カードやＩＣカードを、財布や定期入れ等の携帯用カード収納具に入れて携帯しているが、これら携帯用カード収納具は、革や布等で構成されている。このため、携帯用カード収納具は、スキミング機器から照射される電磁波等を透過させてしまい、カード所有者が気付かないうちにカード情報がスキミングされるおそれがある。
【０００９】
そこで、この発明は、携帯用カード収納具において、スキミング機器から放射される電磁波等の透過を防ぎ、カード所有者が気付かないうちにカード情報がスキミングされることを防止することができる携帯用カード収納具を提供することを目的とする。
【課題を解決するための手段】
【００１０】
この発明は、情報を記録したカードを覆う覆体と、前記カードを保持する保持部とを備え、前記覆体の少なくとも一部に、電磁波の透過を防止する部材で形成する電磁波透過防止部を備えたことを特徴とする。
【００１１】
前記カードは、非接触型ＩＣカード、磁気カード又は接触型ＩＣカードを含む。  
前記電磁波の透過を防止する部材は、外部からの電磁波の透過を遮断する部材、又は若干の電磁波の透過を許容する部材を含む。ここで、若干の電磁波は、例えば非接触型ＩＣカードが作動し得ない程度の電磁波を指す。これらの部材としては、アルミニウム、鉄、ケイ素、コバルトならびにニッケル等の金属類を使用できる。
【００１２】
また、前記電磁波の透過を防止する部材は、銀などをコーティングした電磁波シールドや磁気を透過しない磁気シールド等も含む概念である。
【００１３】
覆体の形状は、板状、布状、メッシュ状、繊維状等、適宜の形状とすることができる。また、電磁波の透過を防止する部材が液体状のものであれば、携帯用カード収納具の素材に、直接塗布、吹き付け、含侵、蒸着等をして、完全に携帯用カード収納具に一体化してもよい。
【００１４】
上記構成によれば、電磁波透過防止部を設けたことにより、携帯用カード収納具が外部からの電磁波の透過を防ぐことになる。  
すなわち、この携帯用カード収納具によれば、外部からの電磁波の透過を防ぐことができるため、カード情報がスキミングされることを防止することができる。
【００１５】
この発明の態様として、前記電磁波透過防止部を、前記カードの少なくとも片面を覆う形状に形成することができる。
【００１６】
上記構成によれば、磁気カード又は接触型ＩＣカードの場合には、磁気部又は接触端子がカード本体の片面にのみ存在するため、磁気部又は接触端子側面を覆うことで、外部からの電磁波の透過を防止することになる。
【００１７】
また、非接触型ＩＣカードの場合は、表裏を問わず、一方の片面を覆うことによって、前記電磁波透過防止部側からの電磁波の透過を電磁波透過防止部によって防止するとともに、前記電磁波透過防止部の反対側からの電磁波については、電磁波透過防止部が非接触型ＩＣカードの裏面に存在することにより、電磁波が非接触型ＩＣカードを透過しないため、非接触型ＩＣカードは作動しない。従って、カード情報を発信せず、スキミング機器によって、カード情報がカード所有者の気付かないうちにスキミングされることを防止することができる。
【００１８】
また、この発明の態様として、前記覆体を、少なくとも２つの面状体の各一部を互いに固着した重ね合わせ構造で形成し、前記カードの両面を覆う構成とすることができる。
【００１９】
前記面状体は、板状部材、布状部材、メッシュ状部材または繊維状部材を面状に形成した部材を含む。  
前記固着は、溶着、接着、 貼着、縫着、蝋着等を含む。
【００２０】
重ね合わせ構造は、それぞれが同一形状に形成した面状体の重ね合わせ、それぞれが異形状に形成した面状体の重ね合わせを含み、また、それぞれが同一部材によって形成した面状体の重ね合わせ、それぞれが異部材によって形成した面状体の重ね合わせを含む。  
また、２枚の面状体の重ね合わせ、２枚以上の面状体の重ね合わせを含む。
【００２１】
これにより、２つ以上の面状体で覆体を形成するとともに、各面部材の間に保持部も形成することができる。したがって、カードの外形よりわずかに大きな携帯用カード収納具を形成することができ、携帯用カード収納具に収納したカードを通常のカード収納部を備えた財布に収納することができる。
【００２２】
これにより、電磁波透過防止機能を有さない普通の財布や定期入れに収納した場合であっても、電磁波の透過を防止することができる。
【００２３】
また、この発明の態様として、前記覆体を、前記電磁波透過防止部を有する面状体を折畳んで形成し、前記カードの両面を覆う構成することができる。
【００２４】
前記面状体は、板状部材、布状部材、メッシュ状部材または繊維状部材を面状に形成した部材を含む。
【００２５】
これにより、面状体を折り畳んで覆体を形成するとともに、各面部材の間に保持部も形成することができる。したがって、カードの外形よりわずかに大きな携帯用カード収納具を形成することができ、携帯用カード収納具に収納したカードを使用中の財布に収納することができる。
【００２６】
これにより、電磁波透過防止機能を有さない普通の財布や定期入れに収納した場合であっても、電磁波の透過を防止することができる。
【発明の効果】
【００２７】
この発明によれば、外部からの電磁波の透過を防ぐことができるため、カード情報がスキミングされることを防止することができる。
【発明を実施するための最良の形態】
【００２８】
以下、図面に基づいて本発明の実施形態を詳述する。  
まず、情報カードＣ（Ｃ１、Ｃ２、Ｃ３）の斜視図を示す図１とともに、情報カードＣについて説明する。
【００２９】
クレジットカード、キャッシュカード、レンタル店の会員証、診察券等に用いられる情報カードＣは、図１に示すような非接触型ＩＣカードＣ１、磁気カードＣ２および接触型ＩＣカードＣ３に大別される。これらの情報カードＣは、プラスチック製のカード体１０に情報記録媒体を設け、情報を記録するように構成している。
【００３０】
非接触型ＩＣカードＣ１は、カード体１０の周縁部にアンテナコイル１１を設け、そのアンテナコイル１１の端部にＩＣチップ１２を設けている。このＩＣチップ１２にメモリ（情報記憶媒体）を内蔵しており、このメモリ内の情報を読み取ることで、端末装置と情報のやり取りを行う。
【００３１】
非接触型ＩＣカードＣ１は、図示しない端末装置から発信された電磁波Ｇがアンテナコイル１１の内側を通過することでアンテナコイル１１に電力が生じ、非接触型ＩＣカードＣ１は生じた電力によってメモリ内の情報を発信する。したがって、端末装置は非接触型ＩＣカードＣ１より発信された情報を受信することができる。
【００３２】
なお、非接触型ＩＣカードＣ１のデータ伝送距離（電波飛距離）は、２ｍｍ以下のものや１０００ｍｍ以上のもの等、適宜の距離に設定する。
【００３３】
また、磁気カードＣ２は、カード体１０に一条の磁気ストライプ１３（情報記録媒体）を設け、この磁気ストライプ１３に情報を記録している。この磁気ストライプ１３の情報を読み取ることで、端末装置と情報のやり取りを行う。
【００３４】
なお、具体的な磁気カードＣ２と端末装置の情報のやり取りは公知であるため、説明を省略する。
【００３５】
また、接触型ＩＣカードＣ３は、カード体に接続端子１４を設け、その接続端子１４にＩＣチップ１２をカード体１０で接続している。このＩＣチップ１２にメモリ（情報記憶媒体）を内蔵しており、このメモリ内の情報を読み取ることで、端末装置と情報のやり取りを行う。
【００３６】
なお、磁気カードＣ２同様、接触型ＩＣカードＣ３と端末装置の情報のやり取りも、公知であるため、説明を省略する。
【００３７】
これらの情報カードＣに対して、スキミング機器から電磁波等が照射されることで、メモリや磁気ストライプ１３に記録された情報がスキミングされ、カードの偽造が行われたり、また、これらの情報の書き換え等が行われる。
【実施例１】
【００３８】
重合せ式カードケース２ａの説明図を示す図２と、折畳固定式カードケース２ｂの斜視図を示す図３と、カードケース２の使用状態の斜視図を示す図４とともに、カードケース２について説明する。
【００３９】
図２（ａ）は横型の重合せ式カードケース２ａの表面を示す斜視図、（ｂ）は横型の重合せ式カードケース２ａの裏面を示す斜視図である。また、（ｃ）は縦型の重合せ式カードケース２ａの表面を示す斜視図、（ｄ）は縦型の重合せ式カードケース２ａの裏面を示す斜視図である。
【００４０】
なお、重合せ式カードケース２ａは情報カードＣの外形よりわずかに大きな平面視略長方形の後カバー２２と、収納した情報カードＣの一部が露出する大きさの平面視略長方形の前カバー２３とを重ね合わせて、縁部を溶着して平面視略長方形の収納部２１を形成している。また、（ａ）に示すように後カバー２２を電磁波の透過を防止する電磁波シールド材３で形成し、収納した情報カードＣの表示面が視認できるように前カバー２３を透明な板材（例えばＰＥＴ（ポリエチレン・テレフタレート））で形成してもよい。なお、（ｃ）に示すように後カバー２２、前カバー２３ともに電磁波シールド材３で形成してもよく、この場合でも情報カードＣの表示面は開口部２５で一部を視認できる。  
図３は横型の折畳固定式カードケース２ｂを示す。横型の折畳固定式カードケース２ｂは、縦方向に並列に並べた２枚の情報カードＣよりひと回り大きな略長方形の電磁波シールド材３を、折畳み状態で収納した情報カードＣの一部が視認できる長さで折畳み、後カバー２２と前カバー２３とが重なっている両側縁部を溶着して収納部２１を形成している。
【００４１】
なお、電磁波シールド材３は、メッシュ状の生地に高純度の銀をコーティングしたものを用いて構成している。なお、この電磁波シールドは、電磁波の透過を防止するシールド材であれば、特にこうした構成に限定されるものではない。
【００４２】
また、本実施例において、後カバー２２と前カバー２３とを溶着して収納部２１を形成しているが、接着剤による接着、または糸状合成繊維等で縫着してもよい。
【００４３】
なお、カードケース２に収納した情報カードＣを容易に取出すために、図２（ａ）および図３に示すように横型のカードケース２の場合は、収納部２１の前面の前カバー２３縁部に切欠部２４を備えている。また、図２（ｂ）に示すように縦型のカードケース２の場合は、収納部２１の前面の前カバー２３中央に楕円形の開口部２５を備えている。
【００４４】
上記構成により、収納したカードケース２の少なくとも片面を電磁波シールド材３で被覆していることでスキミング機器からの電磁波等の透過を防ぐことができる。例えば、非接触型ＩＣカードＣ１であれば、図２（Ｃ）に示すように、電磁波Ｇが後カバー２２で遮断され通信できない。よって、情報カードＣのカード情報をスキミングから防ぐことができる。
【００４５】
したがって、カード所有者が気付かないうちに、カード情報がスキミングされるといったおそれをなくすことができる。
【００４６】
また、カードケース２は情報カードＣの外形よりわずかに大きい形状であるため、図４に示すようにカードケース２に収納した状態の情報カードＣを、利用中の財布４のカード収納部４１に収納することができる。
【００４７】
これにより、電磁波シールド材３を備えない通常の財布４に収納した場合であっても、スキミング機器からの電磁波等の透過を防ぐことができる。したがって、デザインや質感によって利用者の気に入った財布４をそのままの状態で使用し続けることができ、当該財布４を使用していてもカード情報がスキミングされるといったおそれをなくすことができる。
【実施例２】
【００４８】
見開き式カードケース２ｃの表面側の斜視図を示す図５（ａ）と、見開き式カードケース２ｃの裏面側の斜視図を示す図５（ｂ）とともに見開き式カードケース２ｃについて説明する。
【００４９】
見開き式カードケース２ｃは、牛革の表面皮５１に高純度の銀をコーティングしたもの電磁波シールド材３で構成し、この牛革を形崩れしない程度の剛性（厚み）に設定し、略長方形に形成している。
図５（ｂ）に示すように開いた状態の見開き式カードケース２ｃの内表面５２の左右には、情報カードＣの手前両側角部を保持する保持ポケット５４と奥側のカード体１０を保持する保持バンド５５とで構成した保持部５３を備えている。なお、保持バンド５５は、内表面５２と保持バンド５５内面とでカード体１０の断面形状と略同一の空間を形成している。
【００５０】
従って、情報カードＣは、内表面５２に沿って、保持バンド５５を通過して、カード体１０の手前両角部を左右の保持ポケット５４に挿入することで保持部５３に収納することができる。  
また、見開き式カードケース２ｃには左右の内面側に同様の保持部５３を備えているため、２枚の情報カードＣを見開き式カードケース２ｃに備えることができる。
【００５１】
なお、見開き式カードケース２ｃは内表面５２の左右に２枚の情報カードＣを収納して、表面皮５１の左右を、情報カードＣが内側になるように中央部で二つ折りに折り畳んで、折り畳み状態で携帯することができる。
【００５２】
上記構成により、見開き式カードケース２ｃを二つ折りに折り畳むことができるため、携帯時にスキミング機器からの電磁波等の透過を防ぐことができ、カード情報がスキミングされるといったおそれをなくすことができる。また見開き式カードケース２ｃを折り畳むことでかさばることがないため、携帯性が高まる。
【実施例３】
【００５３】
ホルダー式カードケース２ｄの斜視図を示す図６とともにホルダー式カードケース２ｄについて説明する。
【００５４】
ホルダー式カードケース２ｄは、側面に溝状の凹部６２を備えた側面視逆コの字型断面のホルダー部６１と、ホルダ部６１の凹部６２内面に一辺を挟んで備えた２枚のシート６３とで構成している。
【００５５】
ホルダ部６１の幅は、情報カードＣの幅よりわずかに広く、内側の凹部の高さは、２枚のシート６３の肉厚と１枚の情報カードＣの肉厚とを合わせた厚みよりわずかに低く、奥行き深さはカードケース２を凹部６２に挿着した際に、情報カードＣを保持するための適宜の深さで形成している。
【００５６】
なお、ホルダ部６１は、情報カードＣを挟持するための適宜の弾力性を有する樹脂製部材である。
【００５７】
また、シート６３は、情報カードＣの外形よりひと回り大きな略四角形で形成し、一端をホルダ部６１の凹部６２に固定し、他方を自由端としている。
【００５８】
本実施例においては、２枚のシート６３（６３ａ、６３ｂ）のうち一枚のシート６３ａをメッシュ状の生地に高純度の銀をコーティングした電磁波シールド材３で形成している
上記構成により、２枚のシート６３を上下に広げて、情報カードＣの一方を、ホルダ部６１の凹部６２に挿着し、２枚のシート６３で情報カードＣの上下を挟んで使用することができる。
【００５９】
これにより、スキミング機器からの電磁波等の透過を防ぐことができ、カード情報がスキミングされるといったおそれをなくすことができる。
【００６０】
また、電磁波シールド材３で形成したシート６３ａを開いた状態では、電磁波の透過が許容されるため、非接触で端末装置（図示せず）と情報のやり取りを行う非接触型ＩＣカードＣ１を携帯している場合には、シート６３ａを上に広げるだけで情報のやり取りが行え、利便性を高めることができる。
【実施例４】
【００６１】
ソケット式カードケース２ｅの斜視図を示す図７とともにソケット式カードケース２ｅについて説明する。
【００６２】
ソケット式カードケース２ｅは、略四角形の本体部７１の３辺の縁部を内側にロールさせてガイド部７２を形成している。  
なお、本体部７１の上面とガイド部７２の下端との間は、情報カードＣの肉厚と略同一の間隔を形成している。
【００６３】
また、本体部７１とガイド部７２とは、金属製の板状の電磁波シールド材３で一体形成している。
【００６４】
上記構成により、左右の本体部７１の上面とガイド部７２の下端との間に情報カードＣの両側を挿入し、ガイド部７２に沿って、情報カードＣの奥側端部が奥のガイド部７２に達するまで押し込むことで、情報カードＣを収納することができる。
【００６５】
これにより、磁気カードＣ２または接触型ＩＣカードＣ３の磁気ストライプ１３または接続端子１４（図１）を備えた面を本体部７１側に向けて収納することで、スキミング機器からの電磁波等の透過を防ぐことができ、カード情報がスキミングされるといったおそれをなくすことができる。
【００６６】
また、磁気カードＣ２または接触型ＩＣカードＣ３の磁気ストライプ１３または接続端子１４等を備えた面がこすれて、損傷を受けることを防止できる。
【００６７】
また、非接触型ＩＣカードＣ１の場合は、電磁波が非接触型ＩＣカードＣ１を透過しないため、非接触型ＩＣカードＣ１は作動せず、カード情報がスキミングされるといったおそれをなくすことができる。
【００６８】
以上の実施形態以外には、電磁波透過防止機能を有しない通常のカードケース２の表面に電磁波シールドシールを貼り付けてもよい。  
前記電磁波シールドシールは、表面に高純度の銀をコーティングした紙製であり、裏面にのり加工されているため、カードケース２等に貼り付けることができる。
【００６９】
例えば、非接触型ＩＣカードＣ１の場合は、アンテナコイル１１（図１）の外形よりひと回り大きなサイズの電磁波シールドシールを、カードケース２に収納した状態のアンテナコイル１１の位置に合わせて貼り付けることで、スキミング機器からの電磁波が非接触型ＩＣカードＣ１を透過しないため、非接触型ＩＣカードＣ１は作動せず、カード情報がスキミングされるといったおそれをなくすことができる。
【００７０】
しかし非接触型ＩＣカードＣ１の場合、カード体１０の外見からアンテナコイル１１の外形を判別することができないため、電磁波シールドシールをカード体１０の同一サイズとすればよい。
【００７１】
また、磁気カードＣ２の場合は、磁気ストライプ１３（図１）の外形よりひと回り大きなサイズの電磁波シールドシールを、カードケース２に収納した状態の磁気ストライプ１３の位置に合わせて貼り付けることで、また接触型ＩＣカードＣ３の場合は、接続端子１４（図１）の外形よりひと回り大きなサイズの電磁波シールドシールを、カードケース２に収納した状態の接続端子１４の位置に合わせて貼り付けることで、スキミング機器からの電磁波等の透過を防ぐことができ、カード情報がスキミングされるといったおそれをなくすことができる。
【００７２】
また、図８に示すように、可撓性のあるシート状の電磁波シールド材３を、縦長の紙幣を左右に並設したサイズよりひと回り大きく形成し、長財布８１の左右に備えた紙幣収納部８２のそれぞれを渡すように装着しても良い。
【００７３】
長財布８１は、上述したように左右に紙幣収納部８２を備え、開いた状態で左右の紙幣収納部８２のそれぞれの上方に複数のカード収納部８３を備えている。
【００７４】
利用者は、カード収納部８３に情報カードＣを収納し、左右のカード収納部８３が対向するように長財布８１を二つ折りにして携帯する。
【００７５】
上記構成により、カード収納部８３に収納した情報カードＣは、折り曲げ状態の長財布８１の内側となり、それぞれの紙幣収納部８２を渡すように装着した電磁波シールド材３によって、スキミング機器からの電磁波等の透過を防ぐことができ、カード情報がスキミングされるといったおそれをなくすことができる。従って、デザインや質感によって利用者の気に入った長財布８１をそのままの状態で使用し続けることができ、当該長財布８１を使用していてもカード情報がスキミングされるといったおそれをなくすことができる。
【００７６】
なお、開いた状態が紙幣のひと回り大きさサイズとなり、紙幣の中央部で左右を折り畳むタイプの折り畳み財布の場合は、電磁波シールド材３を紙幣より一回り大きなサイズで形成して、紙幣収納部に装着してもよい。
【００７７】
以上、この発明の構成と、前述の実施形態との対応において、
この発明の携帯用カード収納具は、実施形態のカードケース２、重合せ式カードケース２ａ、折畳固定式カードケース２ｂ、見開き式カードケース２ｃ、ホルダー式カードケース２ｄ、ソケット式カードケース２ｅに対応し、
以下同様に、
カードは、情報カードＣ、非接触型ＩＣカードＣ１、磁気カードＣ２、接触型ＩＣカードＣ３、に対応し、
覆体は、後カバー２２、前カバー２３、表面皮５１、シート６３、本体部７１に対応し、
保持部は、収納部２１、保持部５３、ホルダー部６１、ガイド部７２に対応し、
電磁波透過防止部は、電磁波シールド材３に対応するも、
この発明は、上述の実施形態の構成のみに限定されるものではなく、多くの実施の形態を得ることができる。
【図面の簡単な説明】
【００７８】
【図１】非接触型ＩＣカードＣ１、磁気カードＣ２及び接触型ＩＣカードＣ３を説明する説明図。
【図２】重合せ式カードケース２ａの斜視図。
【図３】折畳固定式カードケース２ｂの斜視図。
【図４】カードケース２を財布４に収納した状態の斜視図。
【図５】開いた状態の見開き式カードケース２ｃの斜視図。
【図６】ホルダー式カードケース２ｄの斜視図。
【図７】ソケット式カードケース２ｅの斜視図。
【図８】シート状シールド材の説明図。
【符号の説明】
【００７９】
２…カードケース
２ａ…重合せ式カードケース
２ｂ…折畳固定式カードケース
２ｃ…見開き式カードケース
２ｄ…ホルダー式カードケース
２ｅ…ソケット式カードケース
３…電磁波シールド材
２１…収納部
２２…後カバー
２３…前カバー
５１…表面皮
５３…保持部
６１…ホルダー部
６３…シート
７１…本体部
７２…ガイド部
Ｃ…情報カード
Ｃ１…非接触型ＩＣカード
Ｃ２…磁気カード
Ｃ３…接触型ＩＣカード
Ｇ…電磁波
【図１】
2006141769.tif 000003
【図２】
2006141769.tif 000004
【図３】
2006141769.tif 000005
【図４】
2006141769.tif 000006
【図５】
2006141769.tif 000007
【図６】
2006141769.tif 000008
【図７】
2006141769.tif 000009
【図８】
2006141769.tif 000010